(57)【特許請求の範囲】
【請求項１】
筐体の一面に配線を接続する端子を備えて、構造物の施工面に形成した開口部に筐体の一面側から挿通して埋め込み配設可能な電気機器の一面側に取り付けられて端子を覆う端子カバーにおいて、
板状に形成され、一方の面が端子に対向して電気機器の一面側に取り付けられるカバー本体は、
当該カバー本体の他方の面に設けられて、施工面に設置した長尺状の取り付けレールの両側縁に係止してカバー本体を取り付けレールに固定する第１の取付手段と、
当該カバー本体に設けられて、カバー本体を施工面に直付けする第２の取付手段とのうち、少なくともいずれか一方を備えることを特徴とする端子カバー。
【請求項２】
前記第１の取付手段は、取り付けレールの一方の側縁に係止する第１の係止爪と、取り付けレールの他方の側縁に係止する第２の係止爪とで構成され、
前記第２の取付手段は、施工面に螺入されるネジをカバー本体の一方の面から挿通させる挿通孔であることを特徴とする請求項１に記載の端子カバー。
【請求項３】
前記第２の係止爪は、前記取り付けレールの長手方向に対して垂直方向に摺動自在であり、
第２の係止爪を前記第１の係止爪から離れる方向に摺動させた状態で、第１の係止爪を、取り付けレールの一方の側縁に係止させて、前記カバー本体の他方の面を取り付けレールに当接させた後に、第２の係止爪を第１の係止爪に近づける方向に摺動させて、取り付けレールの他方の側縁に係止させることでカバー本体を取り付けレールに固定することを特徴とする請求項２に記載の端子カバー。
【発明の詳細な説明】
【技術分野】
【０００１】
本発明は、埋込型電気機器の端子部を覆う端子カバーに関するものである。
【背景技術】
【０００２】
従来から、筐体の後面に、電力や情報信号を伝送する配線を接続させる端子を備えて、構造物の施工面に形成した開口部に筐体の後面側から挿通して、施工面の後方に配設された配線を、筐体の後面に設けられた端子に接続させて使用する埋込型電気機器が提供されている。
【０００３】
この種の埋込型電気機器としては、図９、図１０に示すようなものが提供されている。ここで、図９の右下方向を埋込型電気機器９００の前方、左上方向を後方、左下方向を左方、右上方向を右方、上方向を上方、下方向を下方とした場合、埋込型電気機器９００は、制御回路や計測回路などの電子回路（図示せず）と、これらの電子回路を内部に収納した筐体９１０とからなり、筐体９１０の前面は、下方に、ユーザーが電子回路の操作や設定を指などで押して行う操作ボタン９２１を備えて、上方には、電子回路の現在の設定状態などを表示する表示部９２３を備えた操作面９２０が設けられ、筐体９１０の後面には、商用電源や外部機器と筐体９１０内の電子回路とを電気的に接続する配線（図示せず）をつなぐ端子部９３０と、その端子部９３０を後方から覆うように設置される端子カバー９６０とが設けられている。
【０００４】
そして、筐体９１０は、上面９１０ａ，下面９１０ｂに取り付けられた取付金具９５０，９５０によって、施工面９４０の後面側から固定される。
【０００５】
取付金具９５０は、長手方向に沿った開口部９５６ａ，９５６ｂを直列に形成した長尺状のレール部９５１と、レール部９５１の表面に設けられたスライド金具９５５と、レール部９５１の後面の挿通孔（図示せず）を介して、スライド金具９５５の後面に螺入されるネジ９５４とからなる。スライド金具９５５の裏面前方には、開口部９５６ａを介して裏面側に突出した係止爪９５２が設けられ、裏面後方には、開口部９５６ｂを介して裏面側に突出した係止突起９５３が設けられている。また、レール部９５１の後面の挿通孔を介してスライド金具９５５の後面に螺入されているネジ９５４を左右方向に回すことにより、スライド金具９５５は前後に移動する。
【０００６】
そして、図１０に示すように、取付金具９５０，９５０の係止爪９５２，９５２及び係止突起９５３，９５３を筐体９１０の上面９１０ａ及び下面９１０ｂの略中央に形成された係止凹部９１１，９１１及び左右方向略中央の後端に形成された切欠９１２，９１２にそれぞれ挿入する。次に、筐体９１０の上面９１０ａ，及び下面９１０ｂにレール部９５１，９５１の裏面を当接させて、かつ、レール部９５１，９５１の前端を施工面９４０の後面に当接させた後、ネジ９５４，９５４を回してスライド金具９５５を後方に移動させる。これにより、係止爪９５２，９５２の後端が係止凹部９１１，９１１の後端に係止し、この結果、筐体９１０が後方に引っ張られ、施工面９４０の外周縁９４２を取付金具９５０，９５０の前端と、筐体９１０の前面段差部９２２の後面とで挟持し、筐体９１０を施工面９４０に固定させる。
【０００７】
その後、施工面９４０の後方にあらかじめ配設された配線（図示せず）を筐体９１０の端子部９３０に接続させ、端子カバー９６０の四隅の挿通孔９６１に４つのネジ９６２を挿通させて、筐体９１０の後面の四隅のネジ孔９１３に螺入する。これにより、端子カバー９６０を筐体９１０の後面に設けた端子部９３０に後方から覆設させる。
【特許文献１】特許第３７５９０６３号公報
【発明の開示】
【発明が解決しようとする課題】
【０００８】
ところで、従来の埋込型電気機器は、その後面を施工面に埋め込んで設置されるため、筐体の後面に設けられた端子部を覆う端子カバーは、施工面に取り付けるための取付手段を備えていない。そのため、施工面に開口部が無い場合に、埋込型電気機器を設置することができなかった。
【０００９】
また、埋込型電気機器を施工面に直接取り付ける場合には、埋込型電気機器に別途取付手段を付加する必要があり、これにより、埋込型電気機器の部品点数が増加してしまう。
【００１０】
本発明は、上記事由に鑑みてなされたものであり、その目的は、施工面に開口部が無く、埋込型電気機器を施工面に埋め込んで設置を行うことができない場合でも、埋込型電気機器の部品点数を増加させることなく、埋込型電気機器を施工面に設置することができる端子カバーを提供することにある。
【課題を解決するための手段】
【００１１】
請求項１の発明は、筐体の一面に配線を接続する端子を備えて、構造物の施工面に形成した開口部に筐体の一面側から挿通して埋め込み配設可能な電気機器の一面側に取り付けられて端子を覆う端子カバーにおいて、板状に形成され、一方の面が端子に対向して電気機器の一面側に取り付けられるカバー本体は、当該カバー本体の他方の面に設けられて、施工面に設置した長尺状の取り付けレールの両側縁に係止してカバー本体を取り付けレールに固定する第１の取付手段と、当該カバー本体に設けられて、カバー本体を施工面に直付けする第２の取付手段とのうち、少なくともいずれか一方を備えることを特徴とする。
【００１２】
この発明によれば、端子カバーは、取り付けレールの両側縁に係止して端子カバーを取り付けレールに固定する第１の取付手段と、端子カバーを施工面に直付けする第２の取付手段のうち、少なくともいずれか一方を備えているため、施工面に開口部がなく、埋込型電気機器を開口部に埋め込んで設置をすることができない場合においても、施工面に設けられた取り付けレールに対して第１の取付手段で端子カバーの後面を取り付けたり、施工面に対して、第２の取付手段で端子カバーを取り付けることができ、これにより、施工面に埋込型電気機器を取り付けることができるようになる。したがって、施工面に開口部が無く、埋込型電気機器を施工面に埋め込んで設置を行うことができない場合でも、端子カバーを施工面に取り付けることにより、埋込型電気機器の部品点数を増加させることなく、埋込型電気機器を施工面に設置することができる。
【００１３】
請求項２の発明は、請求項１において、第１の取付手段は、取り付けレールの一方の側縁に係止する第１の係止爪と、取り付けレールの他方の側縁に係止する第２の係止爪とで構成され、第２の取付手段は、施工面に螺入されるネジをカバー本体の一方の面から挿通させる挿通孔であることを特徴とする。
【００１４】
この発明によれば、施工面に埋込型電気機器を取り付けることが容易にできるようになる。また、端子カバーに形成された挿通孔に端子カバーの一方の面側からネジを挿通させて、施工面にネジを螺入することによって、施工面に埋め込み型電気機器を直接取り付けることが容易にできるようになる。
【００１５】
請求項３の発明は、請求項２において、前記第２の係止爪は、前記取り付けレールの長手方向に対して垂直方向に摺動自在であり、第２の係止爪を前記第１の係止爪から離れる方向に摺動させた状態で、第１の係止爪を、取り付けレールの一方の側縁に係止させて、前記カバー本体の他方の面を取り付けレールに当接させた後に、第２の係止爪を第１の係止爪に近づける方向に摺動させて、レールの他方の側縁に係止させることでカバー本体を取り付けレールに固定することを特徴とする。
【００１６】
この発明によれば、施工面の取り付けレールに埋込型電気機器の端子カバーを取り付ける際に工具などを使用する必要がなく、施工面への埋込型電気機器の取り付けがさらに容易となる。
【発明の効果】
【００１７】
以上説明したように、本発明では、構造物の施工面に開口部が無い場合においても、埋込型電気機器の部品点数を増加させることなく、埋込型電気機器を施工面に設置することができるという効果がある。
【発明を実施するための最良の形態】
【００１８】
以下、本発明の実施の形態を図面に基づいて説明する。
【００１９】
（実施形態１）
本実施形態の埋込型電気機器を、図１〜図５を用いて説明する。ここで、図１において右上方向を埋込型電気機器１００の前方、左下方向を後方、右下方向を右方、左上方向を左方、上方向を上方、下方向を下方とする。
【００２０】
本実施形態１の埋込型電気機器１００は、絶縁性の合成樹脂などの、矩形函状の筐体１１０で外郭を構成し、制御回路や計測回路などの電子回路（図示せず）を収納している。また、筐体１１０の前面は、ユーザーが指で押すなどして電子回路の操作設定を行う操作ボタン１２１を設けた操作面１２０が形成され、筐体１１０の後面には、商用電源や外部機器（図示せず）から導出された配線を接続する端子部１３０を備え、この配線を介して筐体１１０の内部の電子回路が商用電源や外部機器に電気的に接続される。そして、端子カバー１４０が端子部１３０を覆うように設置される。
【００２１】
筐体１１０は、上面１１０ａ及び下面１１０ｂの各々の略中央に、係止凹部１１１，１１１が形成され、また、左右方向略中央の後端には、切欠１１２，１１２が形成されている。これらの係止凹部１１１，１１１と切欠１１２，１１２は、従来例と同様に、埋込型電気機器１００を施工面９４０の開口部に埋め込んで設置する際に、取付金具９５０（図９，１０参照）を取り付けるためのものであり、その取付金具９５０を用いての施工面９４０の開口部への取り付け方は同様であるため、説明は省略する。
【００２２】
筐体１１０の前面には、図２に示すように、操作面１２０が設けられ、操作面１２０の下部には、ユーザーが指で押すなどして筐体１１０の内部に設けられた電子回路の操作設定を行う操作ボタン１２１を設け、操作面１２０の上部には、筐体１１０の内部に設けられた電子回路の設定状況などを示す表示部１２２を設けている。
【００２３】
筐体１１０の後面には、図１に示すように端子部１３０が設けられている。この端子部１３０は、筐体１１０の後面に形成された、左右方向に水平な複数の仕切板１１３の各々の間から後方に露出して設けられた複数の端子接続部１３０ａからなり、商用電源や外部機器から導出された配線が端子接続部１３０ａに接続される。
【００２４】
上記筐体１１０の構成は、従来例の埋込型電気機器と同様の構成であるが、本実施形態では、埋込型電気機器１００を施工面３００（図６参照）にも取り付けることができるように端子カバー１４０を以下のように構成している。
【００２５】
端子カバー１４０は、絶縁性の合成樹脂などにより、上下に長尺の矩形板状のカバー本体１４１が形成され、カバー本体１４１の上端及び下端各々の左右には、ネジ５００を挿通させるための挿通孔１４２，１４２が形成されている。
【００２６】
また、図３に示すように、カバー本体１４１の後面上方には、上部係止部１４５（第１の取付手段）が形成されており、カバー本体１４１の後面下方には、下部係止部１４６（第１の取付手段）が設けられている。
【００２７】
上部係止部１４５は、カバー本体１４１から突設した支持部１４３と、その支持部１４３の下端後方から下方に延設した係止爪１４４（第１の係止爪）で構成されている。
【００２８】
下部係止部１４６は、図３に示すように、略矩形枠状の可動部１４７と、可動部１４７を挟持する左右一対の摺動保持部１４８とからなる。可動部１４７は左右両端の各々に摺動部１４９，１４９（図４参照）が形成されており、この摺動部１４９，１４９は摺動保持部１４８，１４８に摺動自在に挟持されている。
【００２９】
また、可動部１４７の上端からは、係止爪１４７ａ（第２の係止爪）が上方に突出して設けられており、可動部１４７の下方には、操作片１５０が形成されている。この操作片１５０の上端からは弾性を有する左右一対の保持腕１５１，１５１が突設されている。可動部１４７の保持腕１５１，１５１各々の上端には、端子カバー１４０の中央下方に設けられた六角形状の突起部１５２に設けられた係止面１５２ａ，１５２ａに係止するための係止突起（図示せず）が、前方に突出して設けられている。
【００３０】
ユーザーは、操作片１５０に手を添えて、可動部１４７に対して上方、または下方に力を加えることにより、可動部１４７の摺動部１４９，１４９が、摺動保持部１４８，１４８内を摺動し、これにより可動部１４７を上下に移動させることができる。また、可動部１４７を上方に移動させた際には、保持腕１５１，１５１が突起部１５２に設けられた摺動面１５２ｂ，１５２ｂに沿って互いに離れながら上方に移動し、次に、保持腕１５１，１５１が突起部１５２に設けられた係止面１５２ａ，１５２ａに沿って、互いに近づきながら上方に移動する。そして、保持腕１５１，１５１が平行に戻り、保持腕１５１，１５１の係止突起が係止面１５２ａ，１５２ａに係止することにより、可動部１４７を上方に移動させた状態で固定することができる。
【００３１】
これらの上部係止部１４５及び下部係止部１４６は構造物の施工面３００に設けられたＤＩＮレールなどの長尺状の取り付けレール２００に取り付けられる。図６に示すように、取り付けレール２００は、断面略コの字状で長尺状の支持部２２０と、支持部２２０の両側縁の先端各々から、互いに離れる方向に突出した係止片２１０ａ，２１０ｂで構成されている。そして、取り付けレール２００の支持部２２０を施工面３００に当接させて、図示しないネジなどで施工面３００に取り付けられる。
【００３２】
次に、本実施形態の埋込型電気機器１００の施工面３００への取り付けについて、以下説明する。
【００３３】
まず、筐体１１０の後面に露出して設けられた端子部１３０に、商用電源や外部機器からの配線を接続する。
【００３４】
次に、端子カバー１４０の４つの挿通孔１４２に後方からネジ５００を挿通させて、筐体１１０の後面に形成された４つのネジ孔１１４にネジ５００を螺入する。これにより、端子カバー１４０を筐体１１０の端子部１３０に後方から覆設させ、さらには、筐体１１０の後面に対して端子カバー１４０の固定がなされる。
【００３５】
その後、図４に示すように、ユーザーが、端子カバー１４０の下部係止部１４６の可動部１４７に形成された操作片１５０に指を添えて、可動部１４７を下方に移動させて、その状態で上部係止部１４５の係止爪１４４を、取り付けレール２００の係止片２１０ａに係止させる。そして、端子カバー１４０の後面を取り付けレール２００の表面に当接させた後に、図５に示すように、下部係止部１４６の操作片１５０に指を添えて、可動部１４７を上方に移動させて、取り付けレール２００の係止片２１０ｂに係止爪１４７ａを係止させる。これにより、上部係止部１４５及び下部係止部１４６は取り付けレール２００に係止し、したがって、施工面３００の取り付けレール２００に対して埋込型電気機器１００の固定がなされる。これにより、取り付けレール２００に端子カバー１４０を取り付けることができ、さらには、施工面３００に対して埋込型電気機器１００を取り付けることができる。
【００３６】
したがって、施工面３００に開口部が無く、埋込型電気機器１００を設置することができなかった場所でも、端子カバー１４０の上部係止部１４５を取り付けレール２００の係止片２１０ａに係止させた後、端子カバー１４０の下部係止部１４６を取り付けレール２００の係止片２１０ｂに係止させるという作業のみで、取り付けレール２００に埋込型電気機器１００を簡単に取り付けることできる。
【００３７】
また、本実施形態の端子カバー１４０は、カバー本体１４１に上部係止部１４５と下部係止部１４６を設けているため、別途取付手段を付加する必要がない。これにより、埋込型電気機器の部品点数を増加させることなく、施工面３００に設けられた取り付けレール２００に埋込型電気機器１００を設置することができる。
【００３８】
（実施形態２）
本実施形態の埋込型電気機器を、図７、図８を用いて説明する。本実施形態の埋込型電気機器１００は、上記の実施形態１の端子カバー１４０と比べて構成が異なっており、端子カバーにネジを挿通させる挿通孔を形成したことに特徴がある。尚、その他の構造は、上記実施形態１と同様であるので、同一の構成には同一の符号を付し、説明を省略する。
【００３９】
端子カバー１４０ｂは、実施形態１の端子カバー１４０に加えて、カバー本体１４１の上下方向略中央の左右両側より、固定部１７０Ｌ，１７０Ｒが左右に突出して形成されており、固定部１７０Ｌ及び１７０Ｒには、後方に突出した突出部１７１，１７１が形成されている。そして、突出部１７１，１７１の後方への突出寸法は、端子カバー１４０ｂの上方及び下方に設けられた上部係止部１４５及び下部係止部１４６の突出寸法よりも大きく形成されている。
【００４０】
また、突出部１７１，１７１の略中央にはネジ５１０，５１０を挿通させるための挿通孔１６０，１６０（第２の取付手段）が形成されている。
【００４１】
ここで、端子カバー１４０ｂは、後面側からカバー本体１４１の４つの挿通孔１４２にネジ５００を挿通させて、筐体１１０の後面に形成された四隅のネジ孔１１４にネジ５００を螺入する。これにより、端子カバー１４０ｂを端子部１３０に後方から覆設させ、さらには、筐体１１０の後面に対して端子カバー１４０ｂの固定がなされる。
【００４２】
そして、図８に示すように、筐体１１０に取り付けられた端子カバー１４０ｂの前方から、固定部１７０Ｌ，１７０Ｒの挿通孔１６０，１６０にネジ５１０，５１０を挿通させて、施工面３００に設けられたネジ孔３１０，３１０にネジ５１０，５１０を螺入する。これにより、端子カバー１４０ｂは施工面３００に直付けされ、したがって、埋込型電気機器１００が施工面３００に取り付けられる。
【００４３】
このように、本実施形態の端子カバー１４０ｂは、カバー本体１４１の左右の固定部１７０Ｌ，１７０Ｒにネジ５１０，５１０を挿通させる挿通孔１６０，１６０が形成されている。これにより、施工面３００に開口部がなく、埋込型電気機器１００を施工面３００に取り付けすることができない場合においても、前方より端子カバー１４０ｂの挿通孔１６０，１６０にネジ５１０，５１０を挿通させ、そして、施工面３００に設けられたネジ孔３１０，３１０にネジ５１０，５１０を螺入することにより、施工面３００に対して端子カバー１４０を取り付けることができ、したがって、埋込型電気機器の部品点数を増加させることなく、施工面３００に対して埋込型電気機器１００を直付けすることができる。
【００４４】
さらに、施工面３００が木製などの場合においても、前方より端子カバー１４０ｂの挿通孔１６０，１６０に木ネジ（図示せず）を挿通させ、そして、施工面３００に木ネジを螺入することにより、施工面３００に対して端子カバー１４０ｂを取り付けることができる。
【００４５】
また、本実施形態の端子カバー１４０ｂは、実施形態１と同様に、カバー本体１４１の上部係止部１４５と下部係止部１４６を用いて、取り付けレール２００に端子カバー１４０ｂを取り付けることができる。これにより、埋込型電気機器の部品点数を増加させることなく、施工面３００に設けられた取り付けレール２００に対して埋込型電気機器１００を容易に取り付けることができる。
【００４６】
このように、本実施形態の端子カバー１４０ｂは、施工面３００に設けられた取り付けレール２００の係止片２１０ａ，２１０ｂに端子カバー１４０ｂを係止するための上部係止部１４５及び下部係止部１４６と、端子カバー１４０ｂを施工面３００に直付けするための挿通孔１６０の２つの取付手段を備えている。したがって、施工面３００に開口部が無く、埋込型電気機器１００を施工面３００に埋め込んで設置することができない場合でも、上記２つの取付手段のうちいずれか一方を用いることで、埋込型電気機器の部品点数を増加させることなく、埋込型電気機器１００を取り付けレール２００に取り付けたり、または、施工面３００に対して直付けすることができ、ユーザーが埋込型電気機器１００の取付方法を自由に選択することができる。
【図面の簡単な説明】
【００４７】
【図１】実施形態１の端子カバーの埋込型電気機器への取り付けを示した後面斜視図である。
【図２】同上の埋込型電気機器へ取り付けた後の前面斜視図である。
【図３】同上の後面図である。
【図４】同上の上部係止部を取り付けレールに係止した状態を示す図である。
【図５】同上の下部係止部を取り付けレールに係止した状態を示す図である。
【図６】取り付けレールの断面図、及び前面図である。
【図７】実施形態２の端子カバーの埋込型電気機器への取り付けを示した後面斜視図である。
【図８】同上の埋込型電気機器へ取り付けた後の、施工面への取り付けを示した図である。
【図９】従来の埋込型電気機器の前面斜視図である。
【図１０】従来の埋込型電気機器の施工面への取り付けを示した後面斜視図である。
【符号の説明】
【００４８】
１００      埋込型電気機器
１１０      筐体
１２０      操作面
１３０      端子部
１４０      端子カバー
１４０ｂ    端子カバー
１４１      カバー本体
１４３      支持部
１４４      係止爪（第１の係止爪）
１４５      上部係止部（第１の取付手段）
１４６      下部係止部（第１の取付手段）
１４７ａ    係止爪（第２の係止爪）
１６０      挿通孔（第２の取付手段）
２００      取り付けレール
【図１】
0004740222.tif 000002
【図２】
0004740222.tif 000003
【図３】
0004740222.tif 000004
【図４】
0004740222.tif 000005
【図５】
0004740222.tif 000006
【図６】
0004740222.tif 000007
【図７】
0004740222.tif 000008
【図８】
0004740222.tif 000009
【図９】
0004740222.tif 000010
【図１０】
0004740222.tif 000011